(57)【要約】      （修正有）【課題】１つのスイッチで複数の開閉部材の開閉状態を検出するとともに、開閉部材をスムーズに開閉することができる開閉検出装置を提供する。【解決手段】開閉検出装置の第一の構成は、開閉カバー10〜12の開閉状態を検出するスイッチ19と、スイッチ19を押圧する押圧部材13と、開閉カバー12を閉じた際に押圧される第１の腕と開閉カバー11を閉じた際に押圧される第２の腕とを備え、さらに第１の腕と第２の腕の間を中心に逆方向に回動するシーソーアーム17と、押圧部材13及びシーソーアーム17を支持する揺動可能に形成される支持台15とを有し、開閉カバー11又は12のいずれか一方だけが閉じた際に、第１又は第２の腕いずれか一方が押されてシーソーアーム17が回動して支持台15は揺動せず、開閉カバー11及び12の両方が閉じた際に、第１及び第２の腕の両方が押圧されてシーソーアーム17が回動しないで支持台15が揺動して押圧部材13がスイッチ19を押圧する。【選択図】図３
2005258126.tif 000002
【特許請求の範囲】
【請求項１】
開閉部材の開閉状態を検知するスイッチと、
該スイッチを押圧する押圧手段と、
第１開閉部材を閉じた際に押圧される第１の腕と第２開閉部材を閉じた際に押圧される第２の腕とを備え、前記第１の腕が押圧された場合と前記第２の腕が押圧された場合、第１の腕と第２の腕の間を中心に逆方向に回動するシーソーアームと、
前記押圧手段及び前記シーソーアームを支持する支持台と、を有し、
前記支持台は揺動可能に形成されており、前記第１又は第２開閉部材のいずれか一方だけが閉じる際には、前記第１又は第２の腕いずれか一方が押圧されて前記シーソーアームが回動して前記支持台は揺動せず、前記第１及び第２開閉部材の両方が閉じる際には、前記第１及び第２の腕の両方が押圧されて前記シーソーアームが回動しないで前記支持台が揺動して前記押圧手段が前記スイッチを押圧可能となることを特徴とする開閉検出装置。
【請求項２】
前記シーソーアームは前記第１及び第２開閉部材によって同じ方向から押圧され、
前記押圧手段は、前記支持台に回動可能に支持されており、前記支持台が揺動して前記スイッチを押圧可能となった際に、第３開閉部材によって前記第１及び第２開閉部材がシーソーアームを押圧する方向と直交する方向から押圧されることで、回動して前記スイッチを押圧することを特徴とする請求項１に記載の開閉検出装置。
【請求項３】
前記シーソーアームは前記第１及び第２開閉部材によって互いに直交する２方向から押圧され、前記シーソーアームの前記第１又は第２の腕のいずれか一方が傾斜して形成されており、
前記押圧手段は前記シーソーアームの中央に形成されており、前記支持台が揺動した際に、スイッチを押圧することを特徴とする請求項１に記載の開閉検出装置。
【請求項４】
前記支持台には自重により、前記スイッチをオフする方向に回動する力が働いていることを特徴とする請求項１乃至請求項３のいずれか１項に記載の開閉検出装置。
【請求項５】
記録媒体に画像を形成する画像形成手段を有する画像形成装置であって、
該画像形成装置を覆い、前記シーソーアームを押圧する第１開閉部材及び第２開閉部材と、
請求項１に記載の開閉検出装置と、を有することを特徴とする画像形成装置。 
【発明の詳細な説明】
【技術分野】
【０００１】
本発明は、ファクシミリ装置、複写機、プリンタ、印刷機等の画像形成装置、あるいはドキュメントスキャナ等の原稿読取装置等の電子機器の筐体に設けられた開閉部材の開閉状態を検出する開閉検出装置及び該開閉検出装置を有する画像形成装置に関するものである。
【背景技術】
【０００２】
従来、画像形成装置や原稿読取装置等の電子機器では、装置内部の各部材を外部から保護するために装置全体が装置保護カバーで覆われている。例えば、画像形成装置においては、この保護カバーの一部にはプロセスカートリッジの交換やトナーの補給、或いは装置内に滞留した記録媒体を取り除く、所謂ジャム処理を行うために開閉可能なドア部材を設け、このドア部材を使用者が開けて適切な処置を行えるようにしている。そして、保護カバーは通常、電気的絶縁処理が施されているが、ドア部材を開いた場合に対応して装置内の電流を切るようにしている。
【０００３】
そのためにドア部材の開閉状態を検出する開閉検出機構が必要となる。ドア開閉検出機構の一例として図６に示すように、ドアの開閉状態を検出するスイッチ30と、スイッチ30を押圧する押圧部材31を支持し、シーソーアーム32を備えたスライド移動可能な支持台33を有する開閉検出装置が提案されている（特許文献１参照）。
【０００４】
この開閉検出装置について図６を用いて説明する。図６（ａ）は開閉検出装置のスイッチオフの状態の概略構成図、図６（ｂ）は開閉検出装置のスイッチオンの状態の概略構成図である。この開閉検出装置は押圧部材31が図６（ａ）の矢印ｃ、ｄ、ｅ方向の、３方向の開閉部材の動きを検出し、３個の開閉部材がそれぞれ矢印ｃ、ｄ、ｅ方向から全て閉じたときにスイッチ30がオンするよう構成されている。
【０００５】
押圧部材31は軸34を中心として支持台33に揺動可能に支持されている。また、支持台33には溝33ａ、33ｂが設けてあり、装置本体に固定されたスライド案内部材35ａ、35ｂが溝33ａ、33ｂに嵌合することによって支持台33が水平方向にスライド可能となっている。そして支持台33の係止突起33ｃと装置本体との間には引張スプリング37が係止してあり、支持台33を矢印ｃ、ｄ方向の逆方向（図６中右方向）へ付勢している。
【０００６】
シーソーアーム32は支持台33に軸36を中心に回転可能に取り付けられており、上方端部32ａが矢印ｃ方向に閉まる第１開閉部材の状態を検出し、下方端部32ｂが矢印ｄ方向に閉まる第２開閉部材の状態を検出する。即ち、第１開閉部材が閉じると第１開閉部材によって上方端部32ａが矢印ｃ方向に押される。このとき第２開閉部材が開いた状態にあるときはシーソーアーム32は反時計回り方向に回転するのみで支持台33はスライドしない。これは第１開閉部材が開いた状態で第２開閉部材が閉じた場合も同様であり、このときはシーソーアーム32は時計回り方向に回転するのみで支持台33はスライドしない。
【０００７】
従って、図６（ｂ）に示すように、第１開閉部材及び第２開閉部材の両方が閉じ、上下方端部32ａ、32ｂの双方が矢印ｃ、ｄ方向に押された場合のみ支持台33がスライド移動する。この移動によって押圧部材31がスイッチ30を押圧可能な位置に移動する。
【０００８】
この状態で第３開閉部材が矢印ｅ方向に閉じられると、押圧部材31が第３開閉部材によって矢印ｅ方向に押され、押圧部材31が時計回り方向に回転してスイッチ30がオンする。
【０００９】
【特許文献１】特許第３１５７６８５号公報
【発明の開示】
【発明が解決しようとする課題】
【００１０】
しかしながら、開閉検出装置においては、支持台33がシーソーアーム32を介して第１及び第２開閉部材からの力を受けたときにスライド移動する構成となっているため、支持台33に設けられた溝33ａ、33ｂがスライド案内部材35ａ、35ｂとかじってしまい、開閉部材をスムーズに開閉しにくくなるという問題があった。
【００１１】
そこで本発明は、１つのスイッチで複数の開閉部材の開閉状態を検出することで部品点数の削減及びコストダウンを図ることができるとともに、開閉部材をスムーズに開閉することができる開閉検出装置を提供することを目的とする。
【課題を解決するための手段】
【００１２】
上記課題を解決するために本発明に係る開閉検出装置及び画像形成装置の代表的な構成は、開閉部材の開閉状態を検出するスイッチと、該スイッチを押圧する押圧手段と、第１開閉部材を閉じた際に押圧される第１の腕と第２開閉部材を閉じた際に押圧される第２の腕とを備え、前記第１の腕が押圧された場合と前記第２の腕が押圧された場合、第１の腕と第２の腕の間を中心に逆方向に回動するシーソーアームと、前記押圧手段及び前記シーソーアームを支持する支持台と、を有し、前記支持台は揺動可能に形成されており、前記第１又は第２開閉部材のいずれか一方だけが閉じる際には、前記第１又は第２の腕いずれか一方が押圧されて前記シーソーアームが回動して前記支持台は揺動せず、前記第１及び第２開閉部材の両方が閉じる際には、前記第１及び第２の腕の両方が押圧されて前記シーソーアームが回動しないで前記支持台が揺動して前記押圧手段が前記スイッチを押圧可能となることを特徴とする。
【発明の効果】
【００１３】
以上説明したように、本発明に係る開閉検出装置及び画像形成装置は、第１及び第２開閉部材が両方とも閉じた場合にのみ、シーソーアームの両腕に作用する力が支持台の揺動に変わってスイッチを押圧可能に構成した。これにより、１つのスイッチによって複数の開閉部材の開閉状態を検出することができ、部品点数の削減及びコストダウンを図ることができる。また、支持台を揺動可能に構成したことにより、スライド移動方式のようにスライド溝とスライド案内部材のあいだで、こじりやかじりが発生することがなく、開閉部材をスムーズに開閉することができる
【発明を実施するための最良の形態】
【００１４】
［第一実施形態］
本発明に係る開閉検出装置及び画像形成装置の第一実施形態について、図を用いて説明する。図１は本実施形態にかかる開閉検出装置を用いた画像形成装置の構成図、図２は画像形成装置の開閉部材の開閉の説明図、図３（ａ）はスイッチオフの状態の開閉検出装置の概略構成図、図３（ｂ）はスイッチオンの状態の開閉検出装置の概略構成図である。まず、画像形成装置の全体構成及び各部の構成を説明し、次に開閉検出装置の構成について説明する。
【００１５】
（画像形成装置）
図１に示すように、画像形成装置Ａは、給送カセット１ａ又は手差トレイ１ｂに積載された記録媒体Ｐを搬送手段１によって搬送して転写手段２を構成する転写ドラム２ａに巻き付ける。これと同期してスキャナ部３から像担持体ユニット４内の像担持体である感光体ドラム４ａに光像を照射して潜像を形成し、現像ユニット５を動作させて各色に対応した現像剤（以下「トナー」という）による像を形成する。そして、転写ドラム２ａに巻き付けられた記録媒体Ｐに各色のトナー像を重なるように転写し、定着手段６へ搬送してトナー定着して排出部７へ排出する。
【００１６】
画像形成装置Ａは、像担持体ユニット４、現像ユニット５のトナーカートリッジ及び給送カセット１ａを装置本体の同一方向から着脱可能としている。そのために図２に示すように、装置本体８前面を覆う第３開閉部材である開閉カバー10がヒンジ10ａによって回動可能に取り付けてあり、この開閉カバー10を開くと保護カバー９に設けたトナーカートリッジ着脱口９ａ、像担持体ユニット着脱口９ｂ、転写ドラム保守用開口９ｃ、及び現像ユニットを回転させるための回転ノブ９ｄが露出し、像担持体ユニット４等を着脱し得るようにしてある。
【００１７】
また、手差トレイ１ｂを装置本体８内にしまった状態で手差トレイ１ｂを装置本体８をカバーする第２開閉部材である開閉カバー11が装置本体８の右側面下部にヒンジ11ａによって回動可能に取り付けてある。開閉カバー11を開ことで手差トレイ１ｂを引き出してセットすることができ、手差トレイ１ｂから記録媒体Ｐを給送できる。
【００１８】
また、開閉カバー11の上部（装置本体８の右側面上部）に、第１開閉部材である開閉カバー12がヒンジ部12ａによって回動可能に取り付けてある。開閉カバー12は排出部７の排出経路一部を構成しており、開閉カバー12を開ことで排出部７でジャムした記録媒体Ｐを取り除くことができる。
【００１９】
また、開閉カバー10〜12のすべてを開いたときに、装置本体内の各部材の電流を遮断するために、開閉カバー10〜12の開閉状態を検出する開閉検出装置Ｂが設けてある。
【００２０】
（開閉検出装置）
次に開閉検出装置Ｂについて説明する。図３は開閉カバー10側から見た開閉検出装置Ｂの構成図である。図３に示すように、開閉検出装置Ｂは、スイッチ19、支持台15、押圧手段である押圧部材13、シーソーアーム17から構成されている。
【００２１】
スイッチ19は、不図示のネジ等の締結部材によって装置本体８に固定されており、開閉カバー10〜12の開閉状態を検出して装置本体８内の各部材の電流をオン、オフする。スイッチ19には変位量を検出するスイッチボタン19ａと、スイッチボタン19ａを最終段として押す板バネ等からなるレバー19ｂが予め組み付けられており、レバー19ｂには回動コロ19ｃが取り付けてある。回動コロ19ｃが押圧部材13によって押圧されることで、レバー19ｂがスイッチボタン19ａを押圧し、スイッチ19がオンになり電流が流れる。
【００２２】
支持台15は、下端を装置本体８に設けられた支持軸18に軸支され、支持軸18を中心に矢印ａ１方向（スイッチ19をオンする方向）及びその逆方向（矢印ａ２方向）に揺動可能に形成されている。支持台15は、開閉カバー11、12側に突き出した突出部15ａにシーソーアーム17を回動可能に軸支し、スイッチ19側に押圧部材13を回動可能に軸支している。
【００２３】
図３（ａ）に示すように、支持台15は、突出部15ａの自重及びシーソーアーム17の重さにより、常時矢印ａ２方向（スイッチ19をオフする方向）へ揺動する力が働いており、開閉カバー11又は12が開いた状態では、開閉カバー11、12側に倒れている。一方、開閉カバー11及び12が閉じ、支持台15が開閉カバー11、12によりシーソーアーム17を介して矢印ａ１方向に押圧された際には、支持台15はスイッチ19をオフする方向（矢印ａ２方向）へ回動する力に抗して矢印ａ１方向に移動する。そして、図３（ｂ）に示すように、押圧部材13が回動してスイッチボタン19ａを押圧可能な位置に移動する。
【００２４】
押圧部材13は、支持台15に支持軸14を中心として回動可能に支持されている。また、押圧部材13は回動コロ19ｃを押圧する接触摺動面13ａをテーパー形状に形成している。また、押圧部材13は、通常、自重により鉛直方向下方向に回動した位置に待機しており、図４に示すように、開閉カバー10により押圧される面を上下方向にテーパー形状とした摺動面13ｂを形成している。これにより、開閉カバー10が摺動面13ｂを水平方向に押圧する力で、押圧部材13が鉛直方向上方向（矢印ｅ方向）に持ち上げられる。
【００２５】
支持台15が矢印ａ１方向に揺動し、押圧部材13がスイッチボタン19ａの押圧可能な位置ある状態で、押圧部材13が開閉カバー10によって矢印ｃ、ｄ方向と直交する矢印ｅ方向（鉛直方向上向き）に押圧されると、接触摺動面13ａが回動コロ19ｃに接触してレバー19ｂを押し上げ、スイッチボタン19ａを押す。
【００２６】
シーソーアーム17は、支持台15の突出部15ａに軸16を中心に回動可能に支持されている。また、シーソーアーム17は、第１及び第２の腕を、中央の軸16を中心として対称に形成している。第１の腕の上方端部17ａは開閉カバー12によって矢印ｃ方向に押圧されるように形成されており、第２の腕の下方端部17ｂは開閉カバー11によって矢印ｄ方向に押圧されるように形成されている。
【００２７】
ここで、開閉カバー11又は開閉カバー12のいずれか一方だけが閉じる際には、上方端部17ａ又は下方端部17ｂいずれか一方が押圧されて、シーソーアーム17が回動するのみで、支持台15は揺動しない。すなわち、開閉カバー12が閉じて、上方端部17ａが押圧された場合、シーソーアーム17は軸16を中心に図中反時計回り方向に回動し、上方端部17ａがスイッチ19側、下方端部17ｂが開閉カバー11側に移動する。また、開閉カバー11が閉じて、下方端部17ｂが押圧された場合、軸16を中心に逆方向（図中、時計回り方向に）に回動し、下方端部17ｂがスイッチ19側、上方端部17ａが開閉カバー12側に移動する。
【００２８】
一方、開閉カバー11、12の両方が閉じる際には、上方端部17ａ及び下方端部17ｂの両方が同じ方向（矢印ｃ、ｄ方向）から押圧されてシーソーアーム17が回動しないで、支持台15がスイッチ19側（矢印ａ１方向）に揺動して押圧部材13がスイッチ19を押圧可能となる。
【００２９】
次に、上述のごとく構成した開閉検出装置Ｂの動作について説明する。まず、開閉カバー12を閉じると開閉カバー12によって上方端部17ａが矢印ｃ方向に押される。このとき開閉カバー11が開いた状態にあるとシーソーアーム17は回動が規制されないので反時計回り方向に回動するのみで支持台15は揺動しない。この状態で開閉カバー10を閉じても押圧部材13はスイッチ19を押圧することができず、スイッチ19をオンすることができない。
【００３０】
同様に、開閉カバー11を閉じると開閉カバー11によって下方端部17ｂが矢印ｄ方向に押される。このとき開閉カバー12が開いた状態にあるとシーソーアーム17は回転が規制されないので時計回り方向に回転するのみで支持台15は揺動しない。この状態で開閉カバー10を閉じても押圧部材13はスイッチ19を押圧することができず、スイッチ19をオンすることができない。
【００３１】
一方、開閉カバー11及び開閉カバー12の両方を閉じると開閉カバー11、12によって上方端部17ａ、下方端部17ｂの双方が矢印ｃ、ｄ方向に押され、支持台15が矢印ａ１方向に揺動する。この揺動によって押圧部材13がスイッチボタン19ａを押圧可能な回動軌跡上に据えられる。この状態で開閉カバー10が閉じられると、押圧部材13が矢印ｅ方向に押されて時計回り方向に回動し、接触摺動面13ａが回動コロ19ｃに接触してレバー19ｂを押し上げてスイッチボタン19ａを押し、スイッチ19がオンする。
【００３２】
また、図３（ｂ）の開閉カバー10〜12を全て閉めた状態から、開閉カバー10を開くと、押圧部材13が自重により鉛直方向下方向に回動し、接触摺動面13ａが回動コロ19ｃから離れて、スイッチ19がオフになる。
【００３３】
上述のごとく、開閉カバー11、12が両方とも閉じた場合にのみ、シーソーアーム17の両腕（上方端部17ａ、下方端部17ｂ）に作用する力が支持台15の揺動に変わってスイッチ19を押圧可能に構成した。これにより、１つのスイッチ19によって複数の開閉部材（開閉カバー10〜12）の開閉状態を検出することができる。
【００３４】
さらに、支持台15は自重およびシーソーアーム17の重さによって常にスイッチ19がオフする方向（図３（ａ）の矢印ａ２方向）に回動する力が働いているため、支持台15を付勢しておく付勢部材も必要としない。同様に、押圧部材13も自重によって常にスイッチ19がオフする方向に回動する力が働いているため、押圧部材13を付勢しておく付勢部材も必要としない。
【００３５】
従って、開閉カバー10〜12の開閉状態の検出に複数のスイッチや、付勢部材を必要とする開閉検出装置に比べて部品点数を削減することができ、大幅なコストダウンを図ることが出来る。
【００３６】
また、支持台15を揺動可能に構成したことにより、支持台15をスライド移動させるスライド移動方式のようにスライド溝とスライド案内部材のあいだで、こじりやかじりが発生することがなく、開閉カバー11、12をスムーズに開閉することができる
【００３７】
また、押圧部材13の接触摺動面13ａを、支持台15の揺動方向（矢印ａ１、ａ２方向）及びスイッチボタン19ａの押圧ストローク方向（矢印ｅ方向）の双方に対してテーパー形状とした。このため、開閉カバー10が閉じており、且つ開閉カバー11あるいは開閉カバー12が開放されると、接触摺動面13ａに作用する押圧力の分力により、支持台15をスイッチ19をオフする方向（図３（ｂ）の矢印ａ２方向）へ戻そうとする力が発生し、支持台15が開閉カバー11、12側へ揺動し、スイッチ19がオフとなる。これにより、開閉カバー10〜12のオフ検出の信頼性を高めることが出来る。
【００３８】
尚、開閉検出装置Ｂが取り付けられる装置は、画像形成装置Ａに限定されるものでなく、開閉検出装置Ｂは、ファクシミリ装置、複写機、プリンタ、印刷機等の画像形成装置、あるいはドキュメントスキャナ等の原稿読取装置等の様々な電子機器に取り付け可能である。
【００３９】
［第二実施形態］
次に本発明に係る開閉検出装置及び画像形成装置の第二実施形態について図を用いて説明する。図５（ａ）はスイッチオフの状態の開閉検出装置の概略構成図、図５（ｂ）はスイッチオンの状態の開閉検出装置の概略構成図である。上記第一実施形態と説明の重複する部分については、同一の符号を付して説明を省略する。
【００４０】
本実施形態の画像形成装置は、上記第一実施形態にかかる開閉カバー10〜12の３つの開閉部材の開閉状態を検知する開閉検出装置Ｂに変えて、開閉カバー10、11の２つの開閉部材の開閉状態を検知する開閉検出装置Ｃとしたものである。図５は装置本体８の上方から見た開閉検出装置Ｃの概略構成図である。図５に示すように、開閉検出装置Ｃは、スイッチ29、支持台25、シーソーアーム27から構成されている。
【００４１】
スイッチ29は、不図示のネジ等の締結部材によって装置本体８に固定されており、開閉カバー10、11の開閉状態を検出して装置本体８内の各部材の電流をオン、オフする。スイッチ29には変位量を検出するスイッチボタン29ａが予め組み付けられてある。スイッチボタン29ａがシーソーアーム27の押圧手段である押圧部27ｃによって押圧されることで、スイッチ29がオンになり電流が流れる。
【００４２】
図５（ａ）に示すように、支持台25は、下端を装置本体８に設けられた支持軸28に軸支され、支持軸28を中心に矢印ａ１方向（スイッチ29をオンする方向）及びその逆方向（矢印ａ２方向）に揺動可能に形成されている。支持台25の中央には軸26を中心に回動可能にシーソーアーム25が取り付けられている。シーソーアーム27には、軸26の近傍にスイッチボタン29ａを押す押圧部27ｃが形成されている。
【００４３】
また、支持台25の端部は、圧縮スプリング20によって、常時矢印ａ２方向（スイッチ29をオフする方向）へ付勢されており、開閉カバー10又は11が開いた状態では、開閉カバー10側に倒れている。一方、開閉カバー10及び11が閉じ、支持台25が開閉カバー10、11によりシーソーアーム27を介して矢印ａ１方向に押圧された際には、支持台25はスイッチ29をオフする方向（矢印ａ２方向）へ回動する力に抗して矢印ａ１方向に移動する。そして、図５（ｂ）に示すように、押圧部27ｃがスイッチボタン29ａを押圧する。
【００４４】
シーソーアーム27は、支持台25の中央に軸26を中心に回動可能に支持されている。また、シーソーアーム27は、第１及び第２の腕を、中央の軸16を中心として形成している。シーソーアーム27は、互いに直交する２方向（矢印ｄ、ｅ方向）から押圧されるように形成されており、第１の腕の右端部27ａは開閉カバー11によって矢印ｄ方向に押圧されるように形成されており、第２の腕の左端部27ｂは開閉カバー10によって矢印ｅ方向に押圧されるように形成されている。第一の腕は、開閉カバー11により矢印ｄ方向から押圧されて反時計回り方向に回転しやすいよう傾斜して形成されている。
【００４５】
ここで、開閉カバー10又は開閉カバー11のいずれか一方だけが閉じる際には、右端部27ａ又は左端部27ｂいずれか一方が押圧されて、シーソーアーム27が回動するのみで、支持台25は揺動しない。すなわち、開閉カバー11が閉じて、右端部27ａが押圧された場合、シーソーアーム27は軸26を中心に図中反時計回り方向に回動し、右端部27ａがスイッチ29側、左端部27ｂが開閉カバー10側に移動する。また、開閉カバー10が閉じて、左端部27ｂが押圧された場合、軸26を中心に逆方向（図中、時計回り方向に）に回動し、左端部27ｂがスイッチ29側、右端部27ａが開閉カバー10側に移動する。
【００４６】
一方、開閉カバー10、11の両方が閉じる際には、右端部27ａ及び左端部27ｂの両方が同じ方向（矢印ｄ、ｅ方向）から押圧されてシーソーアーム27が回動しないで、支持台25が圧縮スプリング20の付勢力に抗してスイッチ29側（矢印ａ１方向）に揺動し、押圧部27ｃがスイッチ29を押圧する。
【００４７】
また、図５（ｂ）の開閉カバー10、11を全て閉めた状態から、開閉カバー10又は11を開くと、シーソーアーム27が回動し、圧縮スプリング20の付勢力により支持台25が開閉カバー10側に揺動し、押圧部27ｃがスイッチボタン29ａから離れて、スイッチ29がオフになる。
【００４８】
上述のごとく、シーソーアーム27の一方の端を傾斜させ、開閉カバー10、11が両方とも閉じた場合にのみ、シーソーアーム27の両腕（右端部27ａ、左端部27ｂ）に作用する力が支持台25の揺動に変わってスイッチ29を押圧可能に構成した。これにより、１つのスイッチ29によって複数の開閉部材（開閉カバー10、11）の開閉状態を検出することができる。従って、開閉カバー10、11の開閉状態の検出に複数のスイッチを必要とする開閉検出装置に比べて部品点数を削減することができ、大幅なコストダウンを図ることが出来る。
【００４９】
また、支持台25を揺動可能に構成したことにより、支持台25をスライド移動させるスライド移動方式のようにスライド溝とスライド案内部材のあいだで、こじりやかじりが発生することがなく、開閉カバー10、11をスムーズに開閉することができる
【００５０】
尚、支持台25は、圧縮スプリング20に変えて自重により、常時スイッチ19がオフする方向（図５（ａ）の矢印ａ２方向）に回動する力が働く構成としてもよい。これにより、支持台25を付勢する圧縮スプリング20を省略することができ、部品点数を削減することでコストダウンを図ることが出来る。
【図面の簡単な説明】
【００５１】
【図１】第一実施形態にかかる開閉検出装置を用いた画像形成装置の構成図である。
【図２】画像形成装置の開閉部材の開閉の説明図である。
【図３】開閉検出装置の概略構成図である。
【図４】シーソーアームの斜視図である。
【図５】第二実施形態にかかる開閉検出装置の概略構成図である。
【図６】従来の開閉検出装置を説明する概略構成図である。
【符号の説明】
【００５２】
Ａ    …画像形成装置
Ｂ    …開閉検出装置
Ｐ    …記録媒体
１    …搬送手段
２    …転写手段
３    …スキャナ部
４    …像担持体ユニット
５    …現像ユニット
６    …定着手段
７    …排出部
８    …装置本体
９    …保護カバー
10〜12    …開閉カバー（開閉部材に対応）
13    …押圧部材（押圧手段に対応）
13ａ  …接触摺動面
13ｂ  …摺動面
14    …支持軸
15    …支持台
15ａ  …突出部
16    …軸
17    …シーソーアーム
17ａ  …上方端部（第一の腕に対応）
17ｂ  …下方端部（第二の腕に対応）
18    …支持軸
19    …スイッチ
19ａ  …スイッチボタン
19ｂ  …レバー
19ｃ  …回動コロ
【図１】
2005258126.tif 000003
【図２】
2005258126.tif 000004
【図３】
2005258126.tif 000005
【図４】
2005258126.tif 000006
【図５】
2005258126.tif 000007
【図６】
2005258126.tif 000008